(57)【特許請求の範囲】
【請求項１】
第１の芯（３）に巻いた透明シート（２）の一端を取り出し、取り出した前記透明シートを垂れ下げ、空気の流通を遮断する飛沫飛散防止装置（１０）であって、
フレーム（１１）と、
前記フレームに連結され、前記透明シートが巻かれた前記第１の芯を回転可能に支持する支持具（４、７）と、
取り出された透明シートの方向付けをし、透明シートのシート面が一方側に凸面状に形成されるように透明シートを案内する、第１案内部材（１２、１３）と第２案内部材（１４）と第３案内部材（１５）と第４案内部材（１６、１７）と、
前記第１の芯の重力下方向に設けられ、前記フレームに回転可能に支持し、前記透明シートの一端を固定するとともに、前記透明シートを巻き掛ける第２の芯（２５）と、を備え、
前記第１の芯に巻かれた前記透明シートの一端を外部に取り出し、取り出した前記透明シートを垂れ下げ、垂れ下がった前記透明シートのシート面の一方側と他方側とを飛沫が行き交うのを遮断する飛沫飛散防止装置。
【請求項２】
前記第２の芯を軸心周りに回転可能な電動モータ（２８）と、
前記電動モータのオンオフを切り替えるスイッチ（３１）と、を備える請求項１に記載
の飛沫飛散防止装置。
【請求項３】
前記スイッチは、足の踏み込みにより動作切替可能であって、前記フレームの下部に取
り付けられる、請求項２記載の飛沫飛散防止装置。
【請求項４】
前記フレームは、移動可能な車輪（１８、１９、２０、２１）を備える請求項１、２、
３のいずれか一項記載の飛沫飛散防止装置。
【発明の詳細な説明】
【技術分野】
【０００１】
本発明は、飛沫飛散防止装置に関するものである。
【背景技術】
【０００２】
人は会話やせきやくしゃみにより飛沫を放出する。人の対面においてウイルスが放出され、周囲が吸い込むことがある。飛沫感染は、感染者が会話による飛沫やくしゃみやせきにより口からのウイルスを含んだつばが飛び散り、近くの人が口や鼻で吸い込み起こる。
先行技術文献として、実用新案登録第３２２７４８８号公報に示すように、人の飛沫を防止するスタンドは知られている。しかし、巻き取る透明シートにより人の飛沫を防止する装置は知られていない。
【先行技術文献】
【特許文献】
【０００３】
【特許文献１】実用新案登録第３２２７４８８号公報
【発明の概要】
【発明が解決しようとする課題】
【０００４】
人は人との対面になる際、飛沫により人から人へとウイルスが伝染することがある。近年、コロナウイルスにより感染症が流行り、世界的に社会問題となっている。コロナウイルスは人の口からの飛沫等により、人へと感染する。医療において、診察時に医師と患者が対面になるときに用いることも可能である。
また従来のアクリル板によると、使用後に消毒や清掃を要するため、アクリル板の管理作業が繁雑になったり、作業者への感染のリスクが高まったり、作業者に負担や労力を要するという問題がある。
本発明は、上述に鑑みてなされたものであり、その目的は、人から人への飛沫の飛散を防止する飛沫飛散防止装置を提供することにある。
【課題を解決するための手段】
【０００５】
本発明の飛沫飛散防止装置は、第１の芯（３）に巻いた透明シート（２）の一端を取り
出し、取り出した前記透明シートを垂れ下げ、空気の流通を遮断する飛沫飛散防止装置（
１０）であって、フレーム（１１）と、前記フレームに連結され、前記透明シートが巻かれた前記第１の芯を回転可能に支持する支持具（４、７）と、取り出された透明シートの方向付けをし、透明シートのシート面が一方側に凸面状に形成されるように透明シートを案内する、第１案内部材（１２、１３）と第２案内部材（１４）と第３案内部材（１５）と第４案内部材（１６、１７）と、前記第１の芯の重力下方向に設けられ、前記フレームに回転可能に支持し、前記透明シートの一端を固定するとともに、前記透明シートを巻き掛ける第２の芯（２５）と、を備え、前記第１の芯に巻かれた前記透明シートの一端を外部に取り出し、取り出した前記透明シートを垂れ下げ、垂れ下がった前記透明シートのシート面の一方側と他方側とを飛沫が行き交うのを遮断する構成を採用する。
【０００６】
この飛沫飛散防止装置によると、芯に巻いた透明シートを容易に引き出すことができ、人と人との間で飛沫が飛散するのを効果的に防止することができる。
また、この飛沫飛散防止装置によると、透明シートの送り機構を有するため、簡便な操作により、透明シートを未使用の新たな面に置換または交換することができる。
使用後に消毒や清掃が不要となり、装置の維持管理がしやすいという効果がある。
さらに、作業者への感染リスクを低減することができ、作業者に作業負担や労力を軽減できるという効果がある。
飛沫の飛散を防止する透明シートは、床面から所望の高さに維持することができ、また、飛沫の発せられる空間において、飛沫の流通を遮断するシートに対面する人が移動すれば、その移動位置に容易に透明シートの高さを保持しつつ移動することができるため、可動式の使い勝手のよい飛沫飛散防止装置である。
人が入れ替わったときには、その場所で新たなシートに容易に交換することができる。
飛沫が付着した透明シートは、新たなシートに容易に交換することができる機能が優れている。透明シートは、容易に回収できるし、容易に使い捨てることができる。したがって、飛沫の飛散を容易に防止できつつ、安全面、衛生面で清潔を維持できる。
人が代われば、その人限りで透明シートを新たな透明シートに簡便な操作により交換することができる。
【０００７】
透明シートは、汚れや黄ばみがシートに吸着しても、使用後は直ちに廃棄できるから衛生管理の面から、安全、安心を確保しやすいし、ウイルス対策や飛沫感染防止の効果がある。
【図面の簡単な説明】
【０００８】
【図１】第一実施形態の飛沫飛散防止装置を示す正面図。
【図２】図１に示すII方向矢視図。
【図３】図１に示すIII-III断面図。
【図４】図３に示す第１案内部材を示す拡大図。
【図５】第一実施形態の飛沫飛散防止装置の第２案内部材を示す図。
【図６】図２に示すVI-VI線断面図。
【図７】第二実施形態の飛沫飛散防止装置を示す側面図。
【図８】第五実施形態の飛沫飛散防止装置を示す正面図。
【図９】図８に示すIX方向矢視図。
【図１０】第五実施形態の飛沫飛散防止装置のロールケースを示す正面図。
【図１１】第五実施形態の飛沫飛散防止装置のロールケースを示す断面図。
【図１２】第五実施形態の飛沫飛散防止装置のハンドル連結部を示す平面図。
【図１３】第五実施形態の飛沫飛散防止装置の使用時を示す斜視図。
【図１４】第五実施形態の飛沫飛散防止装置の透明シート切断後を示す斜視図。
【図１５】第五実施形態の飛沫飛散防止装置の透明シートの長さ操作の使用時を示す斜視図。
【図１６】第五実施形態の飛沫飛散防止装置を示す正面図。
【発明を実施するための形態】
【０００９】
以下、本発明の複数の実施形態による飛沫飛散防止装置を図面に基づいて説明する。なお、複数の実施形態において実質的に同一の構成部位には同一の符号を付し、説明を省略する。
（第一実施形態）
本発明の第一実施形態について図１から図６に基づいて説明する。
【００１０】
本発明の飛沫飛散防止装置を図１に示す。
飛沫飛散防止装置１０はロールケース１、透明シート２、支持具４、７、巻き取りシート９、フレーム１１、第１案内部材１２、１３、第２案内部材１４、第３案内部材１５、第４案内部材１６、１７、車輪１８、１９、２０、２１、支持部材２２、２４、及び第５案内部材２７等を備える。第１案内部材１２、１３、第２案内部材１４、第３案内部材１５、第４案内部材１６、１７、第５案内部材２７は、順に、重力下方向に設置される。
【００１１】
透明シート２は、飛沫を通過させないシートであり、円筒状の芯３に多重に巻かれている。芯３に巻かれた透明シート２は、図１の実施形態では、下方に取り出され、第１案内部材１２、１３、第２案内部材１４、第３案内部材１５、第４案内部材１６、１７を経由して、第２の芯２５に巻き取られている。
円筒状の芯３は、その内部に軸方向に芯棒５が挿通される。芯棒５の周りを芯３が回転可能になっている。芯棒５の両端は、支持部材４、７の軸受４００、７００に支持されている。支持部材４、７はフレーム１１に固定されている。支持部材４、７と芯棒５は、請求項１の支持具に相当する。
【００１２】
一対の第１案内部材１２、１３は、図３と図４に示すように、前方に凸状に湾曲し、一端１２１、１３１がフレーム１１と連結し、互いの他端１２３、１３３は対向し、後面１２２、１３２が透明シート２と接触し、透明シート２を案内する。
第２案内部材１４は、図３と図５に示すように、一対の第１案内部材１２、１３の重力下方向に位置し、前方に凸状に湾曲し、一端１２１、１３１がフレーム１１と連結し、互いの他端１２３、１３３は対向し、前面１４１が透明シート２と接触し、透明シート２を案内する。
第３案内部材１５は、両端がフレーム１１と連結し、前面１５１が透明シート２と接する。
第４案内部材１６、１７は、一端がフレーム１１と連結し、後面１６１、１７１が透明シート２と接する。
【００１３】
巻取装置９は、透明シート２を巻き取る円筒状の第２の芯２５と、その両端に固定される軸２３、２６とを備える。軸２３、２６を回転可能に支持する軸受けは、支持部材２２、２４の一端に形成される。支持部材２２、２４の他端は、フレーム１１に固定されている。
軸２３は、電動モータ２８の軸に直結されている。
電動モータ２８をオンオフするスイッチ３１は、コード３２により電動モータ２８と接続されている。スイッチ３１はフレーム１１の脚部１１１に取り付けられ、足踏みにより電動モータ２８をオンオフするようになっている。
電動モータ２８が 回転すると、軸２３が回転し、円筒状の第２の芯２５に透明シート２が巻き取られる。電動モータ２８は、スイッチ３１をオフすると停止し、オンすると 透明シート２を 第２の芯２５に巻き取るようになっている。
第５案内部材２７は、後面側が透明シート２に接し、透明シート２を案内している。
【００１４】
この実施形態では、フレーム１１に対し回転可能な芯３及び第２の芯２５を含む送り機構を有している。
移動可能な車輪１８、１９、２０、２１は、フレーム１１の脚部１１１に床面を転がるように回転可能に取り付けられている。
【００１５】
この実施形態によれば、スイッチ３１を足の踏み込みにより、上から下へと透明シート２がスライドし、飛沫飛散防止装置１０の上部の芯３に巻かれた透明シート２が引き出され、下部の電動モータ３１により透明シート２が下部の巻取装置９の第２の芯２５巻き取られる。
透明シート２は、芯３と第２の芯２５との間で飛沫の通過を遮断する。第１案内部材１２、１３、第２案内部材１４と第３案内部材１５、第４案内部材１６、１７との間では前方側に凸面状のシート面を形成する。したがって、後方側から発せられた飛沫は、透明シート２の凹面に跳ね返って前方側に移動しがたいという効果がある。
【００１６】
第一実施形態によれば、例えば、医師と、医師が診断する患者との間に、この飛沫飛散防止装置１０を用いることができる。この場合の作動について説明する。
この飛沫飛散防止装置１０の前方側に医師、後方側に患者がいる場合、医師と患者との間は透明シート２が介在する。したがって、医師または患者が飛沫を飛ばしたとしても、飛沫は透明シート２が飛沫の通過を遮断する。
透明シート２が所定の幅であるから、医師と患者とは、対話により意思疎通をすることができる。医師が透明シート２の両側から手を回して患者側に触れることができる。医師または患者から発せられる飛沫は、透明シート２の反対側への飛散が防止される。
１人の患者について診断が終了すると、 スイッチ３１をオンし、電動モータ２８を駆動し、透明シート２を下方に移動し、透明シート２を所定距離だけ重力下方向へ移動すると、医師と患者との間に新しい透明シート２のシート面が対面する。この新しい透明シートのシート面によって、医師と患者の間に、前の医師と患者の飛散した飛沫がシート面に付着したとしても、そのシート面は回収され、新しい透明シート２のシート面が対面するから衛生状態が保たれる。したがって、医師と対面する患者が次から次に代わる毎に透明シートを回収することで衛生が保たれるという効果がある。 
本実施形態では、透明シート２の垂れ下がる形状は、第１案内部材１２、１３、第２案内部材１４、第３案内部材１５、第４案内部材１６、１７により、医師側に凸面状になるようにすれば、例えば、患者側で発せられた飛沫は、患者側に跳ね返るようになっているので、透明シート２の側方から前方側の医師側への飛散を防止しやすいという効果がある。 
透明シートは 下方に移動することで 患者が経ち変わるごとに 所定の距離下方に移動することで新らたな透明シート２が医師と患者との間に配置されることになる。これにより衛生が保たれる。
【００１７】
本実施形態では、フレーム１１に車輪が付いているため フレーム１１を床面上で容易に他の位置に移動 することができる。したがって、医師と患者の対面位置が移動した場合、容易に飛沫飛散防止装置１０を移動することができ使用に便利である。
透明シート２一方側から他方側に空気の流通を阻止するから一方側に飛散する飛沫は、透明シート２他方側に通過されるのが阻止される。これにより、飛沫の飛散を防止する。
【００１８】
（第二実施形態）
本発明の第二実施形態について図７に基づいて説明する。
第二実施形態は、透明シートの巻き取りを手動による巻き取る実施形態である。この実施形態では巻取装置は、電動モータを備えない。
下部の第２の芯２５を回すことで、透明シートを重力下方向に移動する。透明シート２を重力下方向に引き下げることで、芯３に巻き掛けられた透明シート２を下方に移動する。透明シート２の移動距離は、手作業で任意の距離を下方向に移動することができる。
下方向に移動した透明シートは、床面に載置してもよいし、巻取装置９の第２の芯２５に巻き取り回収しても良い。
【００１９】
この第二実施形態の他の基本的構成は、第一実施形態と同様である。
【００２０】
（第三実施形態）
第三実施形態は、透明シートは、図示しない電動モータにより、反重力方向（重力に抗する方向に）巻き取られる例である。図示しない上フレームに支持具を介して、芯を回転可能に設ける。この芯に透明シートを巻き掛ける。芯を電動モータで回転すると、透明シートは、反重力方向に進行し、下フレームに支持具を介して回転可能に設けられる第２の芯に巻き掛けられる透明シートは、上方の芯に巻き取られる。
この第三実施形態の他の基本的構成は、第一実施形態と同様である。
この第三実施例においては、透明シートの一方側から他方側に空気の流通を阻止するから一方側に飛散する飛沫は、透明シートの他方側に通過されるのが阻止される。これにより、飛沫の飛散を防止する。
【００２１】
（第四実施形態）
第四実施形態は、電動モータの電源に、携帯型バッテリー電源を用いた例である。図示しないバッテリーを例えばフレームに取り付ける。
【００２２】
この場合、バッテリー電源がフレームに取り付けられるから、飛沫飛散防止装置の取り回しが便利になるという効果がある
【００２３】
この第四実施形態の他の基本的構成は、第一実施形態と同様である。
【００２４】
（第五実施形態）
本発明の第五実施形態について図８から図１６に基づいて説明する。
【００２５】
本発明の飛沫飛散防止装置の透明シートの垂れ下がる状態を図８に示す。
飛沫飛散防止装置１０は、ロールケース４０、透明シート２、吊り下げ具４２、４３、ハンドル４６、４７、及び、案内板４８等を備える。
【００２６】
ロールケース４０は、フレーム４１に吊り下がるチェーンなどの吊り下げ具４２、４３に吊り下げられる。吊り下げ具４２、４３の一端４２１、４３１はフレーム４１に取り付けられ、他端４２２、４３２はロールケース４０に取り付けられている。
ロールケース４０は、円筒状であり、図１１に示すように、上面に本体を切り欠いた取出口５４が形成されている。この取出口５４を経由してシートロール５１をロールケース４０の内部に出し入れ可能である。図１１はロールケース４０の内部にシートロール５１を収納した状態を示している。
【００２７】
透明シート２は、円筒状の芯５３に巻かれ、一端２００が外部に取り出され、自重で垂れ下がっている。透明シート２は、透明な素材であり、飛沫等を通過させないシートである。
【００２８】
ハンドル４６、４７は、先端の内筒部７４、及び、取手部７６から構成される。内筒部７４は、ロールケース４０の内部で円筒状の芯５３の端部に嵌合する。取手部７６は一端が自由をもって回転可能である。
キャップ４４はロールケース４０の端部外壁に嵌合する。キャップ４４、４５の内部で内筒部７４は、その外周に第１ワッシャー７１、スペーサ７２、及び、第２ワッシャー７３を挿通している。ワッシャー７１、７３の内径は、スペーサ７２の外径より小さい。第１ワッシャー７１の内径は、シートロール５１の外径よりも小さい。これにより、キャップ４４、４５のロールケース４０に対する軸方向の位置決めを行う。
ハンドル４６、４７は、ロールケース４０に揺動可能に支持し、ロールケース４０の内部で透明シート２をリフト可能である。ハンドル４６、４７の取手部７６は、キャップ４４、４５に対し軸周りに回転可能であり、キャップ４４、４５を支点に円筒状の芯５３をロールケース４０の内壁面に対しリフト可能である。透明シート２は、シートロール５１の自重により芯５３への巻き掛け状態を保持し、巻き解けることはない。
ハンドル４６、４７を右回り及び左回りに回転させることで、透明シート２の引き出し長さを調節可能で、一端２００の位置を操作することが可能である。
【００２９】
案内板４８は、ロールケース４の取出口５４を形成する縁部５４０に嵌合する取付部６４、６５を有する。
案内板４８は、シートロール５１から引き出された透明シート２を案内する案内面６６を有する。
案内板４８は、案内面６６の反取付部側にシートロール５１の軸と平行に延びる溝部６２を有する。溝部６２は、透明シート２を切断するとき、カッター６１の刃先を挿通可能である。
案内面６６上に案内される透明シート２について反溝部側から図示しないカッターの刃先を溝部６２の凹部に沿って通すことにより、透明シート２の延びる方向と直交する方向に透明シート２を切り込むことにより、透明シートを切断することができる。
【００３０】
第五実施形態の飛沫飛散防止装置によれば、ハンドル４６、４７を回すと、同方向に芯５３が回転し、透明シート２の一端が取り出される。または透明シートの一端を手動により引っ張り出し、透明シート２を取り出すこともできる。
さらに透明シート２を引き出すと、取り出された透明シート２の自重により透明シートの一端が垂れ下がる。このとき、芯５３の自重とこの芯に何重にも巻かれた透明シート２の自重によるロールケース４０の内壁との摩擦力により透明シートの巻き解きは防止される。
垂れ下がった透明シート２は、対面する人と人との間に位置する。これにより、人の口からの飛沫の飛散を防止する。
使用後、カッターの刃先を溝部６２に挿通すると、案内板４８に案外される透明シート２を切断する。切断された透明シートは自重で落下するか、あるいは回収する。
切断された残部の透明シート２は、再びハンドル４６、４７を回す、あるいは透明シート２の一端を引っ張り出し、次の段階で新たに飛沫遮断用の透明シート２として使用することができる。
したがって、使用した透明シートを使い捨て、次段階で新たな透明シートを使用できるため、清潔に安全にシート装置を使用することができる。
透明シートは、汚れや黄ばみがシートに吸着しても、使用後は直ちに廃棄できるから衛生管理の面から、安全、安心を確保しやすいし、ウイルス対策や飛沫感染防止の効果がある。
【００３１】
飛沫飛散防止装置の使用状態を図１４に基づいて説明する。
飛沫飛散防止装置１０を対面する人の間に設置する。対面する人、例えば医師と、医師の診断を受ける患者との間に飛沫飛散防止装置１０を配置する場合、医師は、透明シート２とフレーム４１の間から左右の手を前面から後面に出し、透明シート２を挟んだ対面の患者に触れることができる。
【００３２】
同時に、医師または患者の口から発せられる飛沫は、透明シート２により透明シートの反対側への飛散が防止される。
飛沫飛散防止装置の透明シート切断後の透明シートが垂れ下がっていない状態を図１５に示す。
【００３３】
この第五実施形態の他の基本的構成は、第一実施形態と同様である。
【００３４】
この第五実施形態によれば、必要なとき、透明シート２を容易に切断し、新たな透明シートに替えることができるから、安全面、衛生面でウィルス対策として効果的である。
【００３５】
（第六実施形態）
第六実施形態は、透明シートの下端に、重り８１を取り付けた例を示す。
【００３６】
透明シート下端の二カ所を接続するハンガーの重りや透明シート下端一辺を接続する重りでもよい。
この第六実施形態の他の基本的構成は、第五実施形態と同様である。実質的に同一の構成には同一符号を付し、説明を省略する。
【００３７】
（その他の実施形態）
本発明の透明シートは、例えば二軸延伸ポリプロピレンを用いることができる。本発明に用いる透明シートの材質は上記に限られない。
また本発明の透明シートは、重力方向または反重力方向に巻き取るだけでなくともよく、水平方向に巻き取る装置であってもよい。巻取装置を上部に設置することも可能である。
フレームと透明シートを接続させる吊り下げ具は、チェーンの基材だけでなくとも紐や固定棒でもよい。
透明シートを保持する芯の支持具は、移動体に設ける吊り下げ具だけでなく、建物のような固定体例えば建物の天井に設備したレールと、そのレールへの支持具であっても良い。
【００３８】
以上、本発明は、上記実施形態に限定されるものではなく、その要旨を逸脱しない範囲で種々の実施形態で実施可能である。
【符号の説明】
【００３９】
２：透明シート、
３：芯、
４：支持部材（支持具）、
５：芯棒、
６：芯、
７：支持部材（支持具）、
８：ハンドル、
９：巻き取りシート、
１０：飛沫飛散防止装置、
１１：フレーム、
１２：第１案内部材、
１３：第１案内部材、
１４：第２案内部材、
１５：第３案内部材、
１６：第４案内部材、
１７：第４案内部材、
１８：車輪、
１９：車輪、
２０：車輪、
２１：車輪、
２２：支持部材、
２３：軸、
２４：支持部材、
２５：第２の芯、
２６：軸、
２７：第５案内部材、
２８：電動モータ、
３０：透明ロールシート、
３１：スイッチ、
３２：コード、
３３：コード、
４０：ロールケース（支持具）、
４１：フレーム、
４２：吊り下げ具、
４３：吊り下げ具、
４４：キャップ、
４５：キャップ、
４６：ハンドル、
４７：ハンドル、
４８：案内板（案内部材）、
５１：シートロール、
５２：シート、
５３：芯、
５４：取出口、
５４０：縁部
６２：溝部、
６３：本体、
６４：取付部、
６５：取付部、
６６：案内面、
７１：第１ワッシャー、
７２：スペーサ、
７３：第２ワッシャー、
７４：内筒部、
７５：ツバ部、
７６：取手部、
８１：重り。
【要約】
【課題】人から人への飛沫の飛散を防止する飛沫飛散防止装置を提供する。
【解決手段】芯３に巻いた透明シート２の一端を取り出し、取り出した透明シート２を垂れ下げ、空気の流通を遮断する。フレーム１１と、このフレームに連結され、透明シートが巻かれた芯３を回転可能に支持する支持具４、７を備える。シート面形状が一方の側から他方の側に凸状に湾曲する形状に案内する第１案内部材１２、１３、第２案内部材１４等を備える。これにより、透明シート２に対面する人が替われば、新たな透明シートに簡便な操作により交換することができる。使用後に消毒や清掃が不要となり、装置の維持管理がしやすい。さらに、作業者への感染リスクを低減することができ、作業者に作業負担や労力を軽減できる。
【選択図】図１【図１】
0006895579.tif 000002
【図２】
0006895579.tif 000003
【図３】
0006895579.tif 000004
【図４】
0006895579.tif 000005
【図５】
0006895579.tif 000006
【図６】
0006895579.tif 000007
【図７】
0006895579.tif 000008
【図８】
0006895579.tif 000009
【図９】
0006895579.tif 000010
【図１０】
0006895579.tif 000011
【図１１】
0006895579.tif 000012
【図１２】
0006895579.tif 000013
【図１３】
0006895579.tif 000014
【図１４】
0006895579.tif 000015
【図１５】
0006895579.tif 000016
【図１６】
0006895579.tif 000017